(57)【要約】【課題】包装箱やプラスタ−の裏台紙の切込部の先端部分が、切断時に摘みやすいようにした包装箱及び裏台紙を有する包装箱を課題とする。【解決手段】展開した状態で裏台紙２と中央穴３を有する表台紙４を含む一枚の紙製シート５からなり、両台紙２，４の内面同士を糊着して一体に包装した包装箱１や包装物を収納するプリスターを糊着して一体に包装した裏台紙とその開封方法において、被包装物１８を収納した包装箱１を表裏台紙２，４や裏台紙の直線状横折目線２０，２１の位置で表側に折り曲げるＲと、裏台紙２内の開口用切込部２２の先端部分２１が飛び出し、該先端部分２１を持って引っ張ると切込部２２が順次切断して開封され、包装箱１や裏台紙のプリスターから被包装物１８を容易に取り出せるようにした包装箱１や裏台紙とその開封方法を構成するものである。【選択図】図１
2010285154.tif 000002
【特許請求の範囲】
【請求項１】
展開した状態で裏台紙と中央穴を有する表台紙を含む一枚の紙製シートからなり、両台紙の内面同士を糊着して一体に包装した包装箱において、被包装物を収納した包装箱の表裏台紙に直線状横折目線を付設し、該折目線の外側で前記裏台紙内の開口用切込部の先端部分が切目線からなることを特徴とする包装箱。
【請求項２】
前記包装物を収納するプリスターを糊着して一体に包装した裏台紙に直線状横折目線を付設し、該折目線の外側で前記台紙内の開口用切込部の先端部分が切目線からなる請求項１記載の包装箱。
【請求項３】
前記裏台紙内の開口用切込部の先端部分を切目線以外の切込部は鋸歯状に形成してなる請求項１または請求項２記載の包装箱。
【請求項４】
展開した状態で裏台紙と中央穴を有する表台紙を含む一枚の紙製シートからなり、両台紙の内面同士を糊着して一体に包装した包装箱の開封方法において、被包装物を収納した包装箱を表裏台紙の直線状横折目線を付設し、該折目線の外側で前記裏台紙内の開口用切込部の先端部分に切目線を形成し、前記包装箱を表裏台紙の直線状横折目線の位置で表側に折り曲げると前記裏台紙内の開口用切込部の先端部分が飛び出し、該先端部分を持って引っ張ると切込部が順次切断して開封され、包装箱から被包装物を容易に取り出せるようにしたことを特徴とする包装箱の開封方法。
【請求項５】
包装物を収納するプリスターを糊着して一体に包装した裏台紙の開封方法において、該裏台紙に直線状横折目線を付設し、該折目線の外側で前記裏台紙内の開口用切込部の先端部分に切目線を形成し、前記裏台紙を直線状横折目線の位置で表側に折り曲げると前記裏台紙内の開口用切込部の先端部分が飛び出し、該先端部分を持って引っ張ると切込部が順次切断して開封され、裏台紙から被包装物を容易に取り出せるようにしたことを特徴とする裏台紙の開封方法。
【請求項６】
前記裏台紙内の開口用切込部の先端部分の切目線以外の切込部は鋸歯状に形成してなり、前記先端部分を持って引っ張ると前記切込部が順次切断して開封され、包装箱またはプリスターから被包装物を容易に取り出せるようにした請求項４または請求項５記載の包装箱と裏台紙の開封方法。
【発明の詳細な説明】
【技術分野】
【０００１】
本発明は、展示用の包装箱、プリスター用裏台紙を有する包装箱とその開封方法に係るものであり、更に詳しくは、紙製の裏台紙に表台紙またはプリスターを糊着した展示用包装箱または裏台紙と、その開封を容易にした開封方法に関するものである。
【背景技術】
【０００２】
吊り下げ展示用の包装箱としては、従来厚紙の台紙を裏にし、表は包装物の凹型形状に真空成型した塩化ビニール等の合成樹脂製シートからなるプリスターにて被覆していたが、焼却の際ダイオキシンが発生し、環境面から好ましいものとはいえない。そのために、紙製のみからなる包装箱が使用されている（例えば特許文献１）。
【特許文献１】特開２００２−２４０８２０号公報。
【０００３】
しかしながら、特許文献１に記載のものは、開口用の破線状切込部が、一列の帯状に設定されているので、開口部が小さく、また先端の摘み部分も飛び出してないので、開封が容易ではない。
【０００４】
この点、先端の摘み部分が折線より外側に突出した先行技術もある（例えば特許文献２）。しかし、特許文献２に記載のものは、切妻屋根型カ−トンの容器に関するものであり、折線もハ−フカットで繋がった摘み領域に関するもので、切断して開封させるための摘みではなかった。
【特許文献２】特開平９−３０１３５４号公報。
【０００５】
一方、折り曲げて先端部を飛び出させる先行技術もある（例えば特許文献３）。しかし、特許文献３に記載のものは、プリスターの成型シートの鍔片を表出させるものであって、紙製の台紙切込の先端部を飛び出させるものではない。
【特許文献３】特開２００５−２４７３５８号公報
【０００６】
即ち、台紙切込の先端部が通常は邪魔にならず、切断時に摘みやすくするというものは、従来見当らなかった。
【発明の開示】
【発明が解決しようとする課題】
【０００７】
上記の事情に鑑み、本発明は、包装箱または裏台紙の切込の先端部が、切断時に摘みやすいようにした包装箱または裏台紙を課題とする。
【課題を解決するための手段】
【０００８】
本発明は、上記目的を達成するために、展開した状態で裏台紙と中央穴を有する表台紙を含む一枚の紙製シートからなり、両台紙の内面同士を糊着して一体に包装した包装箱において、被包装物を収納した包装箱の表裏台紙に直線状横折目線を付設し、該折目線の外側で前記裏台紙内の開口用切込部の先端部分が切目線からなる包装箱を構成するものである。
【０００９】
また本発明は、上記目的を達成するために、包装物を収納するプリスターを糊着して一体に包装した裏台紙において、該裏台紙に直線状横折目線を付設し、該折目線の外側で前記台紙内の開口用切込部の先端部分が切目線からなる裏台紙を構成するものである。
【００１０】
さらに本発明は、上記目的を達成するために、展開した状態で裏台紙と中央穴を有する表台紙を含む一枚の紙製シートからなり、両台紙の内面同士を糊着して一体に包装した包装箱の開封方法において、被包装物を収納した包装箱の表裏台紙に直線状横折目線を付設し、該折目線の外側で前記裏台紙内の開口用切込部の先端部分に切目線を形成し、前記包装箱を表裏台紙の直線状横折目線の位置で表側に折り曲げると前記裏台紙内の開口用切込部の先端部分が飛び出し、該先端部分を持って引っ張ると切込部が順次切断して開封され、包装箱から被包装物を容易に取り出せるようにした包装箱の開封方法を構成するものである。
【００１１】
さらにまた本発明は、上記目的を達成するために、包装物を収納するプリスターを糊着して一体に包装した裏台紙の開封方法において、該裏台紙に直線状横折目線を付設し、該折目線の外側で前記裏台紙内の開口用切込部の先端部分に切目線を形成し、前記裏台紙を直線状横折目線の位置で表側に折り曲げると前記裏台紙内の開口用切込部の先端部分が飛び出し、該先端部分を持って引っ張ると切込部が順次切断して開封され、裏台紙から被包装物を容易に取り出せるようにした裏台紙の開封方法を構成するものである。
【発明の効果】
【００１２】
本発明の包装箱と裏台紙とその開封方法によると、被包装物が容易に取り出せるようになった。
【００１３】
本発明の包装箱と裏台紙とその開封方法は、直線状横折目線の位置で表側に折り曲げない限り、開口用切込部の先端部分が飛び出すことはないので、通常は邪魔にならない。
【００１４】
裏台紙内の開口用切込部の先端部分の切目線以外の切込部は鋸歯状に形成してなるようにすれば、被包装物が一層取り出しやすくなる。
【発明を実施するための最良の形態】
【００１５】
以下、本発明の実施例を図面に基づいて詳しく説明する。
【実施例１】
【００１６】
図１は、本発明の包装箱とその開封方法を示し、（ａ）は表台紙側からみた斜視図、（ｂ）は裏台紙側からみた斜視図、（ｃ）は開封時に表側へ折り曲げた状態を示す裏台紙側からみた斜視図である。図２は、本発明の包装箱用の一枚の紙製シートからなる表裏台紙の展開平面図である。
【００１７】
本発明の包装箱１は、展開した状態では、図２に示すように、裏台紙２と中央穴３を有する表台紙４を含む一枚の紙製シート５からなっている。裏台紙２と表台紙４は、折目６，７を介して底面８で連結されている。表台紙４の中央穴３には、必要に応じて透明なプリスターが嵌合される。また裏台紙２の左右には、折目９，１０を介して糊代部１１，１２が連結され、糊代部１１，１２の左右には、折目１３，１４を介して側面部１５，１６を連結している。側面部１５，１６の左右には、折目２３，２４を介して糊代部２５，２６が連結されている。なお裏台紙２と表台紙４の上端には、吊り下げ孔１７ａ，１７ｂを穿設している。
【００１８】
シート５を組み立てるには、折目６，７を内側に折り返し、折目９，１０を内側に折り返し、折目１３，１４を外側に折り返し、折目２３，２４を外側に折り返し、糊代部１１，１２と、糊代部２５，２６と、裏台紙２と表台紙４の上半分の内面同士を、吊り下げ孔１７ａ，１７ｂが合致するようにして糊着し、一体に包装される。このようにして組み立てられた図１（ａ）に示す凸状空間内には、本実施例の場合には、真空包装された乾電池が包装物１８として収納される。
【００１９】
包装物１８を収納した包装箱１の表裏台紙２，４には、図２に示すような直線状横折目線１９，２０を付設している。この直線状横折目線１９，２０の位置は、裏台紙２と表台紙４の上半分の内面同士を糊着した夫々の下端に相当する。即ち、直線状横折目線１９，２０より上半分は糊着され、直線状横折目線１９，２０より下半分は糊着されず、直線状横折目線１９と直線状横折目線２０は同じ位置で糊着されている。そして図１に示す裏台紙２には、上部に先端部分２１を有し、左右に大きく付設した開口用切込部２２が鋸歯状に刻設されている。ここで直線状横折目線というのは、本実施例の場合に横に折り曲げるからであって、本発明の直線状横折目線は、横方向のみに限定されるものではない。また、鋸歯状に刻設した開口用切込部２２は、鋸歯状に刻設されるものに限らず、切目線に形成された開口用切込部２２の先端部分２１から順次切断する際に、先端部分２１よりやや強い力で切断できるように形成されていればよく、直線状破断線や鎖線であってもよい。
【００２０】
図１（ｂ）に示す裏台紙２を、直線状横折目線１９の位置で、矢印Ｒの方向の表側に折り曲げると、図１（ｃ）に示すようなる。即ち、開口用切込部２２の先端部分２１が、切目線によって、飛び出るようになる。従って、この先端部分２１を持って引っ張ると、切込部２２が順次切断して開封される。そのため包装箱１から被包装物１８を、容易に取り出すことができる。
【実施例２】
【００２１】
図３は、本発明の別の例を示す裏台紙の裏面図である。図４は図３の裏台紙の表に糊着するプリスターで、（ａ）は平面図、（ｂ）は（ａ）をＩ−Ｉ´線で切断した断面図である。図５は、本発明の裏台紙とその開封方法を示し、（ａ）は表側からみた斜視図、（ｂ）は開封時に表側へ折り曲げた状態を示す裏台紙側からみた斜視図である。
【００２２】
本発明の包装物を収納する透明なプリスター１０４には、裏面に裏台紙１０２を糊着して一体に包装している。そして裏台紙１０２には、直線状横折目線１１９を付設している。この直線状横折目線１１９の位置は、プリスター１０４の上部鍔片１０４ａの位置であり、即ちプリスター１０４は、直線状横折目線１１９の位置より下方の裏台紙１０２だけに糊着されている。なお裏台紙１０２の上端には、吊り下げ孔１１７を穿設している。
【００２３】
そして裏台紙１０２には、上部に先端部分１２１を有し、左右に大きく付設した開口用切込部１２２が鋸歯状に刻設されている。ここで直線状横折目線というのは、本実施例の場合に横に折り曲げるからであって、本発明の直線状横折目線は、横方向のみに限定されるものではない。また、鋸歯状に刻設した開口用切込部１２２は、鋸歯状に刻設されるものに限らず、切目線に形成された開口用切込部１２２の先端部分１２１から順次切断する際に、先端部分１２１よりやや強い力で切断できるように形成されていればよく、直線状破断線や鎖線であってもよい。
【００２４】
プリスター１０４の凸状空間内には、本実施例の場合には、図示してないが、カメラ用のリチウム電池が包装物として収納される。裏台紙１０２を、直線状横折目線１１９の位置で、矢印Ｒ´の方向の表側に折り曲げると、図５（ｂ）に示すようなる。即ち、開口用切込部１２２の先端部分１２１が、切目線によって、飛び出るようになる。従って、この先端部分１２１を持って引っ張ると、切込部１２２が順次切断して開封される。そのため裏台紙１０２から被包装物を、プリスター１０４から容易に取り出すことができる。
【産業上の利用可能性】
【００２５】
本発明の開封方法は、紙製のみからなる包装箱に限らず、プリスターパックを含む裏台紙に至るまで、広く利用することができる。
【図面の簡単な説明】
【００２６】
【図１】本発明の包装箱とその開封方法を示し、（ａ）は表台紙側からみた斜視図、（ｂ）は裏台紙側からみた斜視図、（ｃ）は開封時に表側へ折り曲げた状態を示す裏台紙側からみた斜視図である。
【図２】本発明の包装箱用の一枚の紙製シートからなる表裏台紙の展開平面図である。
【図３】本発明の別の例を示す裏台紙の裏面図である。
【図４】図３の裏台紙の表に糊着するプリスターで、（ａ）は平面図、（ｂ）は（ａ）をＩ−Ｉ´線で切断した断面図である。
【図５】本発明の裏台紙とその開封方法を示し、（ａ）は表側からみた斜視図、（ｂ）は開封時に表側へ折り曲げた状態を示す裏台紙側からみた斜視図である。
【符号の説明】
【００２７】
１                      包装箱
２                      裏台紙
３                      中央穴
４                      表台紙
５                      紙製シート
６，７，９，１０，１３  折目
１４，２３，２４        折目
８                      底面
１１，１２，２５，２６  糊代部
１５，１６              側面部
１７ａ，１７ｂ          吊り下げ孔
１８                    包装物
１９，２０              直線状横折目線
２１                    先端部分
２２                    開口用切込部
Ｒ                      表側の矢印の方向
１０２                  裏台紙
１０４                  プリスター
１０４ａ                プリスターの上部鍔片
１１７                  吊り下げ孔
１１９                  直線状横折目線
１２１                  先端部分
１２２                  開口用切込部
Ｒ´                    表側の矢印の方向
【図１】
2010285154.tif 000003
【図２】
2010285154.tif 000004
【図３】
2010285154.tif 000005
【図４】
2010285154.tif 000006
【図５】
2010285154.tif 000007